(57)【要約】【課題】容易に多重シャボン玉を作ることができる器具を提供する。【解決手段】第１リング１１が第１支持部１２により支持された第１シャボン玉部材１０と、第１リング１１よりも大きい第２リング２１が第２支持部２２により支持された第２シャボン玉部材２０とを備える。第１シャボン玉部材１０と第２シャボン玉部材２０は第１支持部１２及び第２支持部２２において着脱可能に連結される。第１リング１１及び第２リング２１は、第１リング１１を含む面と第２リング２１を含む面を平行とし、間隔を開けて、第２リング２１に対応する領域内に第１リング１１が位置するように配置される。【選択図】図１
0003225426.tif 000002
【実用新案登録請求の範囲】
【請求項１】
環状のリングを支持部により支持する複数のシャボン玉部材を備え、
前記各シャボン玉部材の前記各リングの大きさは互いに異なり、
前記各シャボン玉部材は、前記各支持部において着脱可能に連結され、
前記各リングは、前記各リングを含む各面を互いに平行とし、間隔を開けて、大きさの大きい方のリングに対応する領域内に小さい方のリングが位置する
ことを特徴とする多重シャボン玉が簡単にできる器具。
【請求項２】
隣接する前記各リングの間隔は、１．５ｃｍ以上４ｃｍ以下であることを特徴とする請求項１記載の多重シャボン玉が簡単にできる器具。
【考案の詳細な説明】
【技術分野】
【０００１】
本考案は、多重シャボン玉が簡単にできる器具に関する。
【背景技術】
【０００２】
従来より、シャボン玉を作る器具としては、ストロー状の円筒体の先端にシャボン玉液を付ける付着部を備えたものが知られている。この器具では、円筒体の後端部から空気を吹き込み、付着部からシャボン玉液の膜を膨らませて、シャボン玉を作ることができる。しかし、このシャボン玉を作る器具では、一重のシャボン玉しか作ることができない。
【０００３】
そこで、近年では、二重のシャボン玉を作ることができる器具も提案されている。例えば、特許文献１には、外側円筒体の中に内側円筒体を設け、外側円筒体と内側円筒体との間と、内側円筒体の内側に、２つの空気路を形成した二重構造のものが記載されている。この器具では、先端にシャボン玉液を付け、後端部から空気を吹き込むことにより、外側の空気路から送り込んだ空気で大きなシャボン玉を形成し、その内側に、内側の空気路から送り込んだ空気で小さなシャボン玉を形成することができる。
【先行技術文献】
【特許文献】
【０００４】
【特許文献１】実開平３−５４９８号公報
【考案の概要】
【考案が解決しようとする課題】
【０００５】
しかしながら、特許文献１に記載の器具では、２つの空気路に空気を吹き込まなければならず、また、空気を吹き込む後端部が太くなりやすいので、小さな子供等が遊ぶ場合には、二重のシャボン玉を上手に作ることが難しいという問題があった。特に、大きな二重シャボン玉を作ろうとすると、空気路が大きくなり、多量の空気を送り込まなければならないので、シャボン玉を上手に作ることはより難しくなる。また、特許文献１に記載の器具では、一重のシャボン玉や、三重のシャボン玉は作ることができず、変化に富んだ様々な遊び方をすることができないという問題もあった。
【０００６】
本考案は、このような問題に基づきなされたものであり、容易に多重シャボン玉を作ることができる器具を提供することを目的とする。
【課題を解決するための手段】
【０００７】
本考案の多重シャボン玉が簡単にできる器具は、環状のリングを支持部により支持する複数のシャボン玉部材を備え、各シャボン玉部材の各リングの大きさは互いに異なり、各シャボン玉部材は、各支持部において着脱可能に連結され、各リングは、各リングを含む各面を互いに平行とし、間隔を開けて、大きさの大きい方のリングに対応する領域内に小さい方のリングが位置するものである。
【考案の効果】
【０００８】
本考案の多重シャボン玉が簡単にできる器具によれば、リングの大きさの異なる複数のシャボン玉部材を備え、各リングは、各リングを含む各面を互いに平行とし、間隔を開けて、大きさの大きい方のリングに対応する領域内に小さい方のリングが位置するようにしたので、小さいリングの方から大きいリングの方に空気を送ることにより、容易に多重シャボン玉を作ることができる。特に、隣接する各リングの間隔を１．５ｃｍ以上４ｃｍ以下とするようにすれば、より容易に多重シャボン玉を作ることができる。
【図面の簡単な説明】
【０００９】
【図１】本考案の第１の実施の形態に係る多重シャボン玉が簡単にできる器具の構成を表す図である。
【図２】本考案の第２の実施の形態に係る多重シャボン玉が簡単にできる器具の構成を表す図である。
【考案を実施するための形態】
【００１０】
以下、本考案の実施の形態について、図面を参照して詳細に説明する。
【００１１】
（第１の実施の形態；二重のシャボン玉ができる器具）
図１は、本考案の第１の実施の形態に係る多重シャボン玉が簡単にできる器具１の構成を表すものである。この多重シャボン玉が簡単にできる器具１は、二重のシャボン玉を作ることができるものであり、環状のリングを支持部により支持した２つのシャボン玉部材を備えている。具体的には、環状の第１リング１１が第１支持部１２により支持された第１シャボン玉部材１０と、環状の第２リング２１が第２支持部２２により支持された第２シャボン玉部材２０とを備えている。なお、二重のシャボン玉というのは、大きなシャボン玉の中に、１又は２以上の小さなシャボン玉が形成されたものである。
【００１２】
各リングの大きさ、すなわち、第１シャボン玉部材１０の第１リング１１と、第２シャボン玉部材２０の第２リング２１の大きさは異なっており、第１リング１１と第２リング２１のどちらの方が大きくてもよい。図１では第１リング１１よりも第２リング２１の方が大きい場合について示している。第１リング１１及び第２リング２１は、例えば、円環状であることが好ましい。第１リング１１の大きさは、例えば、外径が１．５ｃｍ以上４ｃｍ以下の範囲内が好ましく、第２リング２１の大きさは、例えば、外径が６ｃｍ以上１５ｃｍ以下の範囲内が好ましい。第１リング１１と第２リング２１との外径の差は、３．５ｃｍ以上とすることが好ましい。これらの範囲内において、二重シャボン玉をより容易に形成することができるからである。
【００１３】
小さい方の第１リング１１の大きさを小さくすると、中にできるシャボン玉の大きさが小さくなりやすく、大きくすると、中にできるシャボン玉の大きさが大きくなりやすい。第１リング１１と第２リング２１との大きさの差を大きくすると、中にできるシャボン玉の数が多くなりやすい。より安定して二重シャボン玉を形成するには、第１リング１１と第２リング２１との外径の差を５ｃｍ以上とすることが好ましく、６ｃｍ以上とすればより好ましい。また、第１リング１１の外径を２．５ｃｍ以上３．５ｃｍ以下の範囲内、第２リング２１の外径を８．５ｃｍ以上１３ｃｍ以下とすれば、より安定して二重シャボン玉を形成することができるので好ましい。
【００１４】
第１リング１１及び第２リング２１は、例えば、プラスチックで構成され、表面には凹凸が形成されていることが好ましい。シャボン玉液の膜を形成しやすくするためである。また、第１リング１１及び第２リング２１は、針金等よりなる芯材の表面にタコ糸を巻き付けて構成することも可能である。
【００１５】
各シャボン玉部材は、各支持部において着脱可能に連結されている。すなわち、第１シャボン玉部材１０と第２シャボン玉部材２０とは、第１支持部１２及び第２支持部２２において着脱可能に連結されている。第１支持部１２は、例えば、一端部が第１リング１１に配設され、手で把持して第１リング１１を支持する棒状の把持部１３を有している。把持部１３の中間部よりも第１リング１１の側には、例えば、第２支持部２２と連結するための第１連結部１４が設けられている。第２支持部２２は、例えば、一端部が第２リング２１に配設された接続部２３と、接続部２３に配設され、第１連結部１４と連結可能な第２連結部２４とを有している。
【００１６】
第１連結部１４は、例えば、第２連結部２４との連結方向において、一方の端面に突出された第１凸連結部１４Ａが形成され、他方の端面に凹状の第１凹連結部１４Ｂが形成されていることが好ましい。第２連結部２４も同様に、例えば、第１連結部１４との連結方向において、一方の端面に突出された第２凸連結部２４Ａが形成され、他方の端面に凹状の第２凹連結部２４Ｂが形成されていることが好ましい。これにより、第１連結部１４の第１凸連結部１４Ａと第２連結部２４の第２凹連結部２４Ｂとを嵌合させることにより、又は、第１連結部１４の第１凹連結部１４Ｂと第２連結部２４の第２凸連結部２４Ａとを嵌合させることにより、第１シャボン玉部材１０と第２シャボン玉部材２０とを連結することができるようになっている。なお、第１凸連結部１４Ａ又は第１凹連結部１４Ｂのどちらかのみを形成するようにしてもよく、第２凸連結部２４Ａ又は第２凹連結部２４Ｂのどちらかのみを形成するようにしてもよい。
【００１７】
また、第１凸連結部１４Ａ及び第２凸連結部２４Ａには、例えば、周方向に突出された位置合わせ用の突起部１４Ｃ，２４Ｃが設けられていることが好ましい。第１凹連結部１４Ｂ及び第２凹連結部２４Ｂには、例えば、突起部１４Ｃ，２４Ｃに対応してこれらをはめ込む切り欠き部１４Ｄ，２４Ｄが設けられていることが好ましい。突起部１４Ｃ，２４Ｃと切り欠き部１４Ｄ，２４Ｄとを合わせて、第１凸連結部１４Ａと第２凹連結部２４Ｂ、又は、第１凹連結部１４Ｂと第２凸連結部２４Ａとを嵌合すれば、容易に位置合わせをすることができると共に、第１シャボン玉部材１０と第２シャボン玉部材２０の回転を防止し、位置関係を固定することができる。
【００１８】
第１支持部１２及び第２支持部２２は、例えば、プラスチックにより構成することができる。また、例えば、把持部１３及び接続部２３を針金で形成し、第１連結部１４及び第２連結部２４をプラスチックで形成するようにしてもよい。
【００１９】
第１シャボン玉部材１０と第２シャボン玉部材２０とを連結した状態において、第１リング１１と第２リング２１とは、第１リング１１を含む面と第２リング２１を含む面とを平行とし、間隔を開けて、大きい方の第２リング２１に対応する領域内に小さい方の第１リング１１が位置するように配置される。例えば、第１リング１１及び第２リング２１の中心が、第１リング１１を含む面及び第２リング２１を含む面に対して垂直な１本の直線Ｌ上に位置するようにすればより好ましい。すなわち、第１リング１１と第２リング２１とを近づける方向に平行に移動させた時に同心円となる位置に、第１リング１１及び第２リング２１を配置することが好ましい。より安定して二重シャボン玉を形成することができるからである。
【００２０】
第１リング１１と第２リング２１との間の間隔は、１．５ｃｍ以上４ｃｍ以下とすることが好ましく、２ｃｍ以上３．５ｃｍ以下とすればより好ましい。より安定して二重シャボン玉を形成することができるからである。
【００２１】
この多重シャボン玉が簡単にできる器具１は、例えば、次のようにして用いられる。まず、第１シャボン玉部材１０と第２シャボン玉部材２０とを第１連結部１４及び第２連結部２４において連結する。次いで、第１リング１１及び第２リング２１をシャボン玉液に浸けて、第１リング１１及び第２リング２１にシャボン玉液の膜を張る。続いて、小さい方の第１リング１１の側から大きい方の第２リング２１に向かい、息を吹きかけるなどして空気を送る。これにより、大きなシャボン玉の中に小さなシャボン玉が入った二重シャボン玉が形成される。
【００２２】
このように本実施の形態によれば、第１のシャボン玉部材１０と第２のシャボン玉部材２０を備え、第１リング１１と第２リング２１は、各リングを含む各面を互いに平行とし、間隔を開けて、大きい方のリングに対応する領域内に小さい方のリングが位置するようにしたので、小さいリングの方から大きいリングの方に空気を送ることにより、容易に多重シャボン玉を作ることができる。特に、第１リング１１と第２リング２１との間隔を１．５ｃｍ以上４ｃｍ以下とするようにすれば、より容易に多重シャボン玉を作ることができる。
【００２３】
（第２の実施の形態；二重と三重のシャボン玉ができる器具）
図２は、本考案の第２の実施の形態に係る多重シャボン玉が簡単にできる器具２の構成を表すものである。この多重シャボン玉が簡単にできる器具２は、シャボン玉部材を３つ備え、二重と三重のシャボン玉を作ることができるものであり、第１の実施の形態で説明した第１シャボン玉部材１０及び第２シャボン玉部材２０に加えて、第３シャボン玉部材３０を備えている。よって、対応する構成要素には、対応する符号を付してその詳細な説明は省略する。なお、三重のシャボン玉というのは、大きなシャボン玉の中に中くらいのシャボン玉が形成され、更に、中くらいのシャボン玉の中に小さいシャボン玉が形成されたものである。
【００２４】
第１シャボン玉部材１０及び第２シャボン玉部材２０の構成は、第１リング１１及び第２リング２１の大きさの好ましい範囲が異なることを除き、第１の実施の形態と同様である。第３シャボン玉部材３０は、第１シャボン玉部材１０及び第２シャボン玉部材２０と同様に、環状の第３リング３１が第３支持部３２により支持された構造を有している。第３リング３１は、第１リング１１よりも大きさが小さいことを除き、第１リング１１及び第２リング２１と同様の構成を有している。
【００２５】
第１リング１１の大きさは、例えば、外径が５．５ｃｍ以上８．５ｃｍ以下の範囲内が好ましく、第２リング２１の大きさは、例えば、外径が１２ｃｍ以上１６ｃｍ以下の範囲内が好ましく、第３リング３１の大きさは、例えば、外径が１ｃｍ以上４．０ｃｍ以下の範囲内が好ましい。また、第１リング１１の外径を７ｃｍ以上８ｃｍ以下の範囲内、第２リング２１の外径を１３ｃｍ以上１５ｃｍ以下の範囲内、第３リング３１の外径を２ｃｍ以上４ｃｍ以下の範囲内とすればより好ましい。これらの範囲内において、三重シャボン玉をより容易に形成することができるからである。
【００２６】
第３シャボン玉部材３０の第３支持部３２は、第２シャボン玉部材２０の第２支持部２２と同様の構成を有している。よって、対応する構成要素には、十の位を“３”に変えた符号を付し、その詳細な説明は省略する。この多重シャボン玉が簡単にできる器具２では、第１シャボン玉部材１０の一方側に第２シャボン玉部材２０が連結され、他方側に第３シャボン玉部材３０が連結される。すなわち、リングの大きさが順に大きくなるように連結される。
【００２７】
第１シャボン玉部材１０、第２シャボン玉部材２０、及び、第３シャボン玉部材３０を連結した状態において、各リングは、第１リング１１を含む面、第２リング２１を含む面、及び、第３リング３１を含む面を互いに平行とし、間隔を開けて、大きい方のリングに対応する領域内に小さい方のリングが位置するように配置される。例えば、第２リング２１に対応する領域内に第１リング１１が位置し、第１リング１１に対応する領域内に第３リング３１が位置するように配置されることが好ましい。また、第１リング１１、第２リング２１、及び、第３リング３１の中心が、第１リング１１を含む面、第２リング２１を含む面、及び、第３リング３１を含む面に対して垂直な１本の直線Ｌ上に位置するようにすればより好ましい。すなわち、第１リング１１、第２リング２１、及び、第３リング３１を互いに近づける方向に平行に移動させた時に同心円となる位置に配置することが好ましい。より安定して三重シャボン玉を形成することができるからである。
【００２８】
第１リング１１と第２リング２１との間の間隔は、２．５ｃｍ以上４ｃｍ以下とすることが好ましく、第１リング１１と第３リング３１との間の間隔も、２．５ｃｍ以上４ｃｍ以下とすることが好ましい。より安定して二重シャボン玉を形成することができるからである。
【００２９】
この多重シャボン玉が簡単にできる器具２は、第１の実施の形態と同様にして用いることができ、第１の実施の形態で説明したように、容易に三重のシャボン玉を形成することができる。また、この中の２種類のシャボン玉部材を使って二重のシャボン玉を形成することも可能である。
【００３０】
以上、実施の形態を挙げて本考案を説明したが、本考案は上記実施の形態に限定されるものではなく、種々変形可能である。例えば、上記実施の形態では、シャボン玉部材を２又は３つ備える場合について説明したが、４以上を連結するようにしてもよい。また、上記実施の形態では、各構成要素について具体的に説明したが、全ての構成要素を備えていなくてもよく、また、他の構成要素を備えていてもよい。
【符号の説明】
【００３１】
１，２…多重シャボン玉が簡単にできる器具、１０…第１シャボン玉部材、１１…第１リング、１２…第１支持部、１３…把持部、１４…第１連結部、１４Ａ…第１凸連結部、１４Ｂ…第１凹連結部、１４Ｃ…突起部、１４Ｄ…切り欠き部、２０…第２シャボン玉部材、２１…第２リング、２２…第２支持部、２３…接続部、２４…第２連結部、２４Ａ…第２凸連結部、２４Ｂ…第２凹連結部、２４Ｃ…突起部、２４Ｄ…切り欠き部、３０…第３シャボン玉部材、３１…第３リング、３２…第３支持部、３３…接続部、３４…第３連結部、３４Ａ…第３凸連結部、３４Ｂ…第３凹連結部、３４Ｃ…突起部、３４Ｄ…切り欠き部
【図１】
0003225426.tif 000003
【図２】
0003225426.tif 000004